(57)【特許請求の範囲】
【請求項１】
画面ミラー及び液晶画面を備え、ミラー機能を有する表示画面であって、
さらにナノ懸濁層を備え、
前記ナノ懸濁層は、前記画面ミラーと液晶画面との間に設けられる
ことを特徴とする表示画面。
【請求項２】
前記ナノ懸濁層は、上極板、ナノ材料層及び接地極板を備え、前記上極板は、前記画面ミラーと前記ナノ材料層との間に設けられ、前記接地極板は、前記液晶画面と前記ナノ材料層との間に設けられる
請求項１に記載の表示画面。
【請求項３】
さらに磁性層を備え、前記磁性層は、前記液晶画面の背面に設けられる
請求項２に記載の表示画面。
【請求項４】
前記ナノ懸濁層のナノ材料はシート状のナノ材料である
請求項１〜３のいずれか１項に記載の表示画面。
【請求項５】
前記シート状のナノ材料の厚さは１００ｎｍ以下である
請求項４に記載の表示画面。
【請求項６】
前記シート状のナノ材料はグラフェンであり、前記ナノ懸濁層における懸濁液はドデシル硫酸ナトリウム溶液である
請求項４に記載の表示画面。
【請求項７】
前記グラフェンの両面は銀メッキされる
請求項６に記載の表示画面。
【請求項８】
ミラー機能を有する表示画面の制御装置であって、
請求項３〜７のいずれか１項に記載の表示画面、第１のトリガ、第２のトリガ及びコントローラを備え、
前記第１のトリガは、第１の所定条件を満たす場合、前記コントローラにオントリガ信号を送信し、
前記第２のトリガは、第２の所定条件を満たす場合、前記コントローラにオフトリガ信号を送信し、
前記コントローラは、
前記オフトリガ信号を受信した場合、前記磁性層が前記表示画面に垂直な静磁場を提供するように制御し、且つ、
前記オントリガ信号を受信した場合、前記上極板が電圧を提供するように制御し、又は、前記上極板が電圧を提供するように制御するとともに前記磁性層が前記表示画面に垂直な静磁場を提供するように制御する
ことを特徴とする制御装置。
【請求項９】
前記第１の所定条件は、画面点灯信号、ロック解除信号又はユーザが入力したミラー機能オフ信号であり、前記第２の所定条件は、画面消灯信号、ロック信号又はユーザが入力したミラー機能オン信号を受信したことである
請求項８に記載の制御装置。
【請求項１０】
ミラー機能を有する表示画面の制御方法であって、
請求項３〜７のいずれか１項に記載の表示画面に適用され、
前記オフトリガ信号を受信した場合、前記磁性層が前記表示画面に垂直な静磁場を提供するように制御するステップと、
前記オントリガ信号を受信した場合、前記上極板が電圧を提供するように制御し、又は、前記上極板が電圧を提供するように制御するとともに前記磁性層が前記表示画面に垂直な静磁場を提供するように制御するステップと
を含む
ことを特徴とする制御方法。
【請求項１１】
前記上極板が提供する電圧及び前記磁性層が提供する静磁場は、採用されるナノ材料、前記ナノ材料の面積、前記ナノ材料の厚さ、切替感度のうちの少なくとも一方によって確定される
請求項１０に記載の制御方法。
【請求項１２】
請求項８〜９のいずれか１項に記載の制御装置を備える
端末。
【請求項１３】
プログラム命令が記憶されたコンピュータ読み取り可能な記録媒体であって、前記プログラム命令が実行されることによって請求項１０〜１１のいずれか１項に記載の方法を実現する
記録媒体。
【発明の詳細な説明】
【技術分野】
【０００１】
本発明は、無線通信システム分野に関し、特に、ミラー機能を有する表示画面、制御方法、装置及び端末に関する。
【背景技術】
【０００２】
携帯電話は携帯が便利であり、人々の必需品になっている。おしゃれな人にとって、必ず携帯する必需品にはミラーもある。表示画面は消灯したときにもともと役に立たなく、ミラーにすると反射率が低すぎる。従来技術では、画面ミラーの背面に一層の反射膜をメッキして、反射の効果を向上したが、表示画面が表示するとき、光の透過に明らかに影響する。
【発明の概要】
【発明が解決しようとする課題】
【０００３】
本発明の実施例は、表示画面が消灯したときにミラーに切り替えて使用できるミラー機能を有する表示画面、制御方法、装置及び端末を提供する。
【課題を解決するための手段】
【０００４】
本発明の実施例は、画面ミラー及び液晶画面を備え、ミラー機能を有する表示画面を提供し、さらにナノ懸濁層を備え、
前記ナノ懸濁層は、前記画面ミラーと液晶画面との間に設けられる。
【０００５】
選択的に、前記ナノ懸濁層は、上極板、ナノ材料層及び接地極板を備え、前記上極板は、前記画面ミラーと前記ナノ材料層との間に設けられ、前記接地極板は、前記液晶画面と前記ナノ材料層との間に設けられる。
【０００６】
選択的に、さらに磁性層を備え、前記磁性層は、前記液晶画面の背面に設けられる。
【０００７】
選択的に、前記ナノ懸濁層のナノ材料はシート状のナノ材料である。
【０００８】
選択的に、前記シート状のナノ材料の厚さは１００ｎｍ以下である。
【０００９】
選択的に、前記シート状のナノ材料はグラフェンであり、前記ナノ懸濁層の懸濁液はドデシル硫酸ナトリウム溶液である。
【００１０】
選択的に、前記グラフェンの両面は銀メッキされる。
【００１１】
本発明の実施例は、さらにミラー機能を有する表示画面の制御装置を提供し、上記の表示画面、第１のトリガ、第２のトリガ及びコントローラを備え、
前記第１のトリガは、第１の所定条件を満たす場合、前記コントローラにオントリガ信号を送信し、
前記第２のトリガは、第２の所定条件を満たす場合、前記コントローラにオフトリガ信号を送信し、
前記コントローラは、前記オフトリガ信号を受信した場合、前記磁性層が前記表示画面に垂直な静磁場を提供するように制御し、且つ、前記オントリガ信号を受信した場合、前記上極板が電圧を提供するように制御し、又は、前記上極板が電圧を提供するように制御するとともに前記磁性層が前記表示画面に垂直な静磁場を提供するように制御する。
【００１２】
選択的に、前記第１の所定条件は、画面点灯信号又はロック解除信号又はユーザが入力したミラー機能オフ信号であり、前記第２の所定条件は、画面消灯信号又はロック信号又はユーザが入力したミラー機能オン信号を受信したことである。
【００１３】
本発明の実施例は、さらにミラー機能を有する表示画面の制御方法を提供し、上記の表示画面に適用され、
前記オフトリガ信号を受信した場合、前記磁性層が前記表示画面に垂直な静磁場を提供するように制御するステップと、前記オントリガ信号を受信した場合、前記上極板が電圧を提供するように制御し、又は、前記上極板が電圧を提供するように制御するとともに前記磁性層が前記表示画面に垂直な静磁場を提供するように制御するステップとを含む。
【００１４】
選択的に、前記上極板が提供する電圧及び前記磁性層が提供する静磁場は、採用されるナノ材料、前記ナノ材料の面積、前記ナノ材料の厚さ、切替感度のうちの少なくとも一方によって確定される。
【００１５】
本発明の実施例は、さらに上記の制御装置を備える端末を提供する。
【００１６】
本発明の実施例は、さらにプログラム命令が記憶されたコンピュータ読み取り可能な記録媒体を提供し、前記プログラム命令が実行されることによって上記の方法を実現することができる。
【発明の効果】
【００１７】
本発明の実施例によれば、ナノ材料の自己組織化技術を利用して、表示画面が消灯したときにミラーに切り替えて使用する技術的案を提供し、表示画面が表示を恢復するときに、表示画面の光の透過に影響しない。
【図面の簡単な説明】
【００１８】
【図１】本発明の実施例に係るフローを示すブロックチャートである。
【図２】本発明の実施例に係る端末表示画面の構造を示す図である。
【図３】本発明の実施例に係るナノ懸濁層の一部の拡大図である。
【発明を実施するための形態】
【００１９】
以下、図面を参照しながら本発明の実施例を説明する。なお、互いに衝突しない前提で、本発明の実施例及び実施例における特徴を互いに任意に組み合わせてもよい。
【００２０】
ナノ材料及びナノ技術は、新世紀で一番人気がある応用科学の１つになっている。研究の重点は、ナノスケールの物質及び装置の設計方法、構成、特性及び応用であり、特にミクロな自己組織からマクロサイズに通じる応用である。シート状のナノ構造は、外場（光場、磁場等）の駆動に加え、ファンデルワールス力等のミクロ力の組織を利用して、広くてマクロ的に非常に平坦な面に連結されることができる。しかし、外場を取り消した後、ナノ材料は他の組織構造を形成し、このマクロ面はまた可逆的に消えてしまう。
【００２１】
図２に示すように、本発明の実施例は、ミラー機能を有する表示画面を提供し、画面ミラー２０、液晶画面２２及びナノ懸濁層２１を備える。
【００２２】
前記ナノ懸濁層２１は、前記画面ミラー２０と液晶画面２２との間に設けられる。
ここで、ディスプレイのサイズは効果によって最適化することができ、本明細書では限定しない。
【００２３】
選択的に、図３に示すように、前記ナノ懸濁層２１は、上極板２１０、ナノ材料層２１１及び接地極板２１２を備え、前記上極板２１０は、前記画面ミラー２０と前記ナノ材料層２１１との間に設けられ、前記接地極板２１２は、前記液晶画面２２と前記ナノ材料層２１１との間に設けられる。
【００２４】
選択的に、さらに前記表示画面は磁性層２３を備え、前記磁性層２３は、前記液晶画面２２の背面に設けられる。
【００２５】
前記ナノ懸濁層２１のナノ材料はシート状のナノ材料である。
【００２６】
前記シート状のナノ材料の厚み方向の分布は重なってもよく、重ならなくてもよい。
【００２７】
選択的に、前記シート状のナノ材料の厚さは１００ｎｍ以下である。
【００２８】
前記シート状のナノ材料はグラフェンであり、前記ナノ懸濁層の懸濁液はドデシル硫酸ナトリウム溶液である。
【００２９】
前記グラフェンの両面は銀メッキされる。
【００３０】
本発明の実施例は、さらにミラー機能を有する表示画面の制御装置を提供し、上記の表示画面、第１のトリガ、第２のトリガ及びコントローラを備える。
【００３１】
前記第１のトリガは、第１の所定条件を満たす場合、前記コントローラにオントリガ信号を送信し、
前記第２のトリガは、第２の所定条件を満たす場合、前記コントローラにオフトリガ信号を送信し、
前記コントローラは、前記オフトリガ信号を受信した場合、前記磁性層２３が前記表示画面に垂直な静磁場を提供するように制御し、且つ、前記オントリガ信号を受信した場合、前記上極板が電圧を提供するように制御し、又は、前記上極板が電圧を提供するように制御するとともに前記磁性層２３が前記表示画面に垂直な静磁場を提供するように制御する。
【００３２】
本発明の実施例の表示画面は、画面ミラー２０と液晶画面２２との間にシート状のナノ材料懸濁層２１を介在し、前記シート状のナノ材料は光に対して高い反射率を有する。コントローラにより外場（磁場、電界等）を印加して、シート状のナノ材料の分布が変化するように制御する。ミラー機能を実現する場合には、コントローラにより外場を印加して、シート状のナノ材料を表示画面と平行に平坦に敷くように分布させて反射ミラーを構成すると、表示画面は自然とミラーになる。端末画面が表示動作をしようとすると、コントローラは命令を受信し、外場の変更によって、シート状のナノ材料を表示画面に垂直な配列分布に制御し、このとき、配列密度が比較的に小さく、且つデューティサイクルが比較的に低いため、光の透過に対する影響が比較的に小さいので（２０％以下である）、表示用光が配列の隙間を正常に透過し、シート状のナノ材料により遮光されない。
【００３３】
前記第１の所定条件は、画面点灯信号、ロック解除信号又はユーザが入力したミラー機能オフ信号であってもよく、前記第２の所定条件は、画面消灯信号、ロック信号又はユーザが入力したミラー機能オン信号を受信したことであってもよい。
【００３４】
図１に示すように、本発明の実施例のミラー機能を有する表示画面の制御方法は、前記オフトリガ信号を受信した場合、前記磁性層２３が前記表示画面に垂直な静磁場を提供するように制御するステップと、前記オントリガ信号を受信した場合、前記上極板２１０が電圧を提供するように制御し、又は、前記上極板２１０が電圧を提供するように制御するとともに前記磁性層２３が前記表示画面に垂直な静磁場を提供するように制御するステップとを含む。
【００３５】
前記上極板２１０が提供する電圧及び前記磁性層２３が提供する静磁場は、採用されるナノ材料、前記ナノ材料の面積、前記ナノ材料の厚さ、切替感度のうちの少なくとも一方によって確定される。
【００３６】
前記上極板２１０が提供する電圧は、一般的に１−１２Ｖであり、ここで、携帯電話用チップ又はユニットがすでに使用している３Ｖ、５Ｖ、９Ｖ、１２Ｖを使用してもよく、本発明の実施例に使用される上極板２１０のために個別に変圧しなくてもよい。端末画面表示機能とミラー機能との切替感度も、上極板が提供する電圧の大きさ及び前記磁性層２３が提供する静磁場の大きさを確定する1つの要因である。
【００３７】
適用例１
図１及び図２に示すように、画面ミラー２０と液晶画面２２との間には、シート状のナノ材料懸濁層２１が介在されている。図３は、シート状のナノ材料懸濁層２１の一部拡大図であり、シート状のナノ材料懸濁層２１は、透明上極板２１０、ナノ材料懸濁液（即ち、上記のナノ材料層である）２１１及び透明接地極板２１２を備える。ナノ材料懸濁液２１１は、透明上極板２１０と透明接地極板２１２とにより挟まれ（透明極板は、インジウムスズ酸化物の透明導電性フィルムである）、端末画面を表示光が透過する場合には、上極板２１０上に一定の電圧（例えば、３Ｖである）を印加し、ナノ材料懸濁液２１１の中に表示画面の表面に垂直な電界を形成し、この電界はシート状のナノ材料が両極板の間で垂直するように駆動できる。ここで、ナノ材料懸濁液２１１は、ナノ材料及び懸濁液を備え、両面に１０ｎｍ厚さの銀メッキ（ここで、銀メッキの厚さは単なる例示であり、反射できればいい）がそれぞれ形成されたグラフェン（サイズが１μｍ−１０μｍの間である）をシート状のナノ材料とし、ＳＤＳ（ドデシル硫酸ナトリウム、一種の分散液である）が溶解された水を溶剤とし、ＳＤＳはグラフェンの凝集を避けるために使用される。ミラー機能を実現するとき、下部磁性層２３は面に垂直な静磁場を提供する。この静磁場により、グラフェンは、その反磁性により磁場に垂直して並んで、表示画面の表面と平行して水平に敷くように分布して、1つの反射面を構成する。
【００３８】
適用例２
図１及び図２に示すように、本実施例において、下部磁性層２３は常に存在し、シート状のナノ材料懸濁層２１のデフォルト状態（ｄｅｆａｕｌｔ  ｓｔａｔｅ）がミラーである。したがって、携帯電話が画面消灯した場合、ひいては電源オフの場合には、画面は銀面反射ミラーとなるが、表示画面がウェイクアップされた場合には、シート状のナノ材料懸濁層２１の上極板２１０に電圧を印加することにより、画面はまた正常に光を透過させる。
【００３９】
このとき、外場の切り替えを減らしてもよい。電界の影響は磁場の影響よりずっと大きいことが可能であるため、そのねじりモーメント比は１０４を超えることが可能であり、そのため、端末画面を表示光が透過する場合、磁場の効果はほぼ相殺され、シート状のナノ材料は直立性がよい配列分布を形成することができる。本実施例では、シート状のナノ材料の厚さは約２０ｎｍであり、その面のサイズが１μｍ−１０μｍであることに対して非常に小さいので、相対的に言うと、垂直配列の密度はたいへん小さく、且つデューティサイクルが極めて低く（０．５％以下である）、表示画面から照射される光にとっては、透過することはほとんどその影響を受けない。
【００４０】
当業者であれば、上記方法の全部又は一部のステップが、プログラムが関連なハードウェアを指令することにより完成されることができ、上記プログラムが、例えば、読み取り専用メモリ（ＲＯＭ）、磁気ディスク又は光ディスク等のコンピュータ読み取り可能な記録媒体に記憶されることができることは理解できる。選択的に、上記実施例の全部又は一部のステップは、１つ又は複数の集積回路を用いて実現することもできる。相応的に、上記実施例の各モジュール／ユニットは、ハードウェアによって実現してもよく、ソフトウェア機能モジュールによって実現してもよい。本発明の実施例は、任意の特定の形態のハードウェア及びソフトウェアの組み合わせに限定されない。
【産業上の利用可能性】
【００４１】
本発明の実施例によれば、ナノ材料の自己組織化技術を利用して、表示画面が消灯したときにミラーに切り替えて使用する技術的案を提供し、表示画面が表示を恢復するときに、表示画面の光の透過に影響しない。
【図１】
0006317036.tif 000002
【図２】
0006317036.tif 000003
【図３】
0006317036.tif 000004